【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
ドナー要素支持体と、
前記ドナー要素支持体上に配置される着色剤層であって、高分子バインダー、着色剤、全固形分含有率を基準にして固形分約０．１から約６．０％の範囲の量の界面活性剤および下記構造
【化１】
2005516805.tif 000001
（式中、Ｍ＋ｎは、Ｎａ＋１、Ｌｉ＋１、Ｋ＋１、Ｍｇ＋２、Ｃａ＋２、Ｓｒ＋２、Ｂａ＋２、Ｆｅ＋２、Ｆｅ＋３、Ｃｕ＋２、Ｚｎ＋２、Ａｌ＋３およびそれらの組み合わせからなる群から選択される陽イオンであり；
；Ｘ−ｑは、ＳＯ４−２、ＳＯ３−２、ＨＳＯ３−、Ｓ２Ｏ３−２、Ｓ２Ｏ５−２、ＰＯ４−３、ＨＰＯ４−２、Ｈ２ＰＯ４−、Ｆ−、Ｃｌ−、Ｂｒ−、Ｉ−、ＣＯ３−２、ＨＣＯ３−、アセテートイオン、アセチルアセテートイオン、ホルメート、アスコルベート、タータレート、シトレート、ベンゾエート、スクシネート、プロピオネート、ブチレート、ペンタノエート、ヘキサノエート、グルタメート、バレレート、アジペート、リンの酸化物、硫黄の酸化物、炭素の酸化物、ホスフェート、スルフェート、カーボネート、メタクリル酸のホモポリマーおよび共重合体のカルボキシレート陰イオン、イタコン酸のホモポリマーおよび共重合体のカルボキシレート陰イオン、マレイン酸のホモポリマーおよび共重合体のカルボキシレート陰イオン、フマル酸のホモポリマーおよび共重合体のカルボキシレート陰イオンおよびそれらの組み合わせからなる群から選択され；かつ、ａおよびｂは（ａ）（ｎ）＝（ｂ）（ｑ）である整数である）を有する金属塩を含む着色剤層と
を含むことを特徴とする熱誘起画像転写用の画像転写要素。
【請求項２】
前記金属塩が、硫酸マグネシウム、酢酸マグネシウム、塩化マグネシウム、硫酸アルミニウム、塩化カルシウム、ＡｌＫ（ＳＯ４）２およびＡｌ（ＮＨ４）（ＳＯ４）２、酢酸カルシウム、酢酸亜鉛、酢酸ナトリウム、ポリメタクリル酸ナトリウム塩、クエン酸アンモニウム、Ｌ−酒石酸ナトリウム、メタクリル酸のナトリウム塩、ポリアクリル酸のナトリウム塩、およびそれらの組み合わせからなる群から選択されることを特徴とする請求項１に記載の画像転写要素。
【請求項３】
前記ドナー要素支持体は、共押出されるポリエチレンテレフタレートフィルム、ポリオレフィンフィルムおよび紙よりなる群から選択され、
前記高分子バインダーは、澱粉誘導体；カルボキシメチルセルロース；アクリル酸、アクリル酸エステル、アクリロニトリル、酢酸ビニル、ブタジエン、スチレンおよびそれらの組合せをベースとするポリビニルアルコール；ならびにアクリル酸、アクリル酸エステル、アクリロニトリル、酢酸ビニル、ブタジエン、スチレンおよびそれらの組合せをベースとする水性分散系よりなる群から選択され、および、
前記ドナー要素支持体と前記着色剤層との間に配置される少なくとも１つの加熱層をさらに含むことを特徴とする請求項１に記載の画像転写要素。
【請求項４】
請求項１に記載の画像転写要素、および受像層を含むレシーバー要素を備えることを特徴とするレーザー加工可能な組立体。
【請求項５】
液晶ディスプレー装置での使用に好適なモノクロームまたはカラーフィルター要素の製造方法であって、
請求項４に記載のレーザー加工可能な組立体を加熱する工程と、
前記画像転写要素の一部を化学線に画像様露光して露光された組立体を提供する工程と、
前記露光された組立体のレシーバー要素から支持体を分離してカラーフィルター要素を得る工程と
を含むことを特徴とする方法。
【請求項６】
請求項５に記載の方法によって製造されるモノクロームまたはカラーフィルター要素を、導電性コーティング、液晶材料およびアラインメント層と結びつけられる工程を含むことを特徴とする液晶ディスプレー装置の製造方法。
【手続補正２】
【補正対象書類名】明細書
【補正対象項目名】００２４
【補正方法】変更
【補正の内容】
【００２４】
（式中、Ｍ＋ｎは、ＮＨ４＋、Ｎ（Ｒ１）４＋、もしくはＳ（Ｒ１）３（ここで、Ｒ１は１〜６個の炭素原子と、任意選択的に１個または複数個のヘテロ原子とを含有する脂肪族基である）、または元素の周期表の族Ｉａ、ＩＩａ、ＩＩＩａ、ＶＩＩＩ、Ｉｂ、ＩＩｂから選択される金属原子よりなる群から選択される有機陽イオン、無機陽イオンおよびそれらの混合物であり；ｎは１、２または３よりなる群から選択され；Ｘは、陰イオンまたは陰イオンを含有する１から５個の炭素原子を含有する脂肪族基よりなる群から選択される陰イオン化学種であり；ｑは１、２または３よりなる群から選択され；かつ、ａおよびｂは（ａ）×（ｎ）＝（ｂ）×（ｑ）である整数である）
を有する、本発明の金属塩は着色剤層のバインダー内に分散される。しかしながら、好ましくは、Ｍ＋ｎは、Ｎ（ＣＨ３）４＋、Ｎ（Ｃ２Ｈ５）４＋、Ｎ（Ｃ３Ｈ７）４＋、Ｎ（Ｃ４Ｈ９）４＋のような第四級アミン；Ｓ（ＣＨ３）３＋、Ｓ（Ｃ２Ｈ５）３＋、Ｓ（Ｃ３Ｈ７）３＋、Ｓ（Ｃ４Ｈ９）３＋のようなスルホニウム陽イオン；またはＮａ＋１、Ｌｉ＋１、Ｋ＋１、Ｍｇ＋２、Ｃａ＋２、Ｓｒ＋２、Ｂａ＋２、Ｆｅ＋２、Ｆｅ＋３、Ｃｕ＋２、Ｚｎ＋２およびＡｌ＋３のような無機陽イオンよりなる群から選択され、Ｘ−ｑは、ハロゲン元素または、例えば、ホスフェート、スルフェート、もしくはカーボネートのようなリン、硫黄、もしくは炭素の酸化物よりなる群から選択される。さらに、具体的な例には、ＳＯ４−２、ＳＯ３−２、ＨＳＯ３−、Ｓ２Ｏ３−２、Ｓ２Ｏ５−２、ＯＡｃ−（アセテート）、ＰＯ４−３、ＨＰＯ４−２、Ｈ２ＰＯ４−、Ｆ−、Ｃｌ−、Ｂｒ−、Ｉ−、ＣＯ３−２、ＨＣＯ３−、およびＡｃａｃ−２（アセチルアセトネート）が挙げられるが、それらに限定されない。
【手続補正３】
【補正対象書類名】明細書
【補正対象項目名】０１５１
【補正方法】変更
【補正の内容】
【０１５１】
【表１】
2005516805.tif 000002
【手続補正４】
【補正対象書類名】明細書
【補正対象項目名】０１７３
【補正方法】変更
【補正の内容】
【０１７３】
Ｓ１３、添加された酢酸マグネシウムを含有する組成物の改善された画像形成寛容度はまた、表８ｂから、Ｓ１３についてその差が０．２０であるのに対して、Ｃ９についての差が１．５６であった、電力設定値１２〜１８ワットの範囲にわたってＳ１３について平均密度の差を評価することによって示すことができ、従って、Ｓ１３はＣ９試料と比較した時に改善された画像形成寛容度を有した。
以下に、本発明の好ましい態様を示す。
１．  ドナー要素支持体と、
前記ドナー要素支持体上に配置される着色剤層であって、高分子バインダー、着色剤、全固形分含有率を基準にして固形分約０．１から約６．０％の範囲の量の界面活性剤および下記構造
【化２】
2005516805.tif 000003
（式中、Ｍ＋ｎは有機陽イオン、無機陽イオン、またはそれらの組合せであり；ｎ＝１、２または３であり；Ｘは陰イオンまたは陰イオンを含有する１から５個の炭素原子を含有する脂肪族基であり；ｑ＝１、２、または３であり；かつ、ａおよびｂは（ａ）（ｎ）＝（ｂ）（ｑ）である整数である）を有する金属塩を含む着色剤層と
を含むことを特徴とする熱誘起画像転写用の画像転写要素。
２．  少なくとも１つの加熱層が、前記ドナー要素支持体と前記着色剤層との間に配置されることを特徴とする１．に記載の画像転写要素。
３．  前記少なくとも１つの加熱層が、レーザー放射線を本質的に吸収できる、有機および無機材料よりなる群から選択される化合物を含むことを特徴とする２．に記載の画像転写要素。
４．  前記加熱層の無機材料が、元素の周期表の族ＩＩＩＡ、ＩＶＡ、ＶＡ、ＶＩＡ、ＶＩＩＩＡ、ＩＩＢ、ＩＩＩＢ、およびＶＢの遷移金属元素、元素の周期表の族ＩＩＩＡ、ＩＶＡ、ＶＡ、ＶＩＡ、ＶＩＩＩＡ、ＩＩＢ、ＩＩＩＢ、およびＶＢの金属元素、それらの相互の合金、ならびにそれらの族ＩＡおよびＩＩＡの元素との合金よりなる群から選択されることを特徴とする３．に記載の画像転写要素。
５．  前記加熱層の有機および無機材料が、クロム、アルミニウム、カーボンブラック、ＮＩＲシアニン染料化合物およびそれらの組合せよりなる群から選択されるレーザー放射線吸収化合物をさらに含むことを特徴とする３．に記載の画像転写要素。
６．  前記高分子バインダーが、アクリル酸のホモポリマーまたは共重合体、アクリル酸のエステルのホモポリマーまたは共重合体、メタクリル酸のホモポリマーまたは共重合体、メタクリル酸のエステルのホモポリマーまたは共重合体、アルキルメタクリル酸のホモポリマーまたは共重合体、アルキルメタクリル酸のエステルのアクリレートエステルのホモポリマーまたは共重合体、スチレンおよびオレフィンモノマーの共重合体、スチレンおよびアクリロニトリルの共重合体；フルオロポリマー、エチレンおよび一酸化炭素と（メタ）アクリレートエステルの共重合体、（メタ）アクリレートブロック共重合体、および他のコモノマータイプを含有する（メタ）アクリレート共重合体、ポリカーボネート、（メタ）アクリレートホモポリマーおよび共重合体、ポリスルホン、ポリウレタン、ポリエステル、ならびにそれらの組合せよりなる群から選択されることを特徴とする１．に記載の画像転写要素。
７．  前記高分子バインダーが、澱粉誘導体；カルボキシメチルセルロース；アクリル酸、アクリル酸エステル、アクリロニトリル、酢酸ビニル、ブタジエン、スチレンおよびそれらの組合せをベースとするポリビニルアルコール；ならびにアクリル酸、アクリル酸エステル、アクリロニトリル、酢酸ビニル、ブタジエン、スチレンおよびそれらの組合せをベースとする水性分散系よりなる群から選択されることを特徴とする３．に記載の画像転写要素。
８．  Ｍ＋ｎが、Ｎａ＋１、Ｌｉ＋１、Ｋ＋１、Ｍｇ＋２、Ｃａ＋２、Ｓｒ＋２、Ｂａ＋２、Ｆｅ＋２、Ｆｅ＋３、Ｃｕ＋２、Ｚｎ＋２、Ａｌ＋３、ＮＨ４＋、Ｎ（Ｒ１）４＋およびＳ（Ｒ１）３＋（ここで、Ｒ１は１〜６個の炭素原子を含有する脂肪族基である）よりなる群から選択されることを特徴とする１．に記載の画像転写要素。
９．  Ｍ＋ｎが、Ｎ（Ｃ２Ｈ５）４＋、Ｎ（Ｃ３Ｈ７）４＋、Ｎ（Ｃ４Ｈ９）４＋、Ｓ（ＣＨ３）３＋、Ｓ（Ｃ２Ｈ５）３＋、Ｓ（Ｃ３Ｈ７）３＋およびＳ（Ｃ４Ｈ９）３＋よりなる群から選択されることを特徴とする１．に記載の画像転写要素。
１０．  Ｘ−ｑが、ＳＯ４−２、ＳＯ３−２、ＨＳＯ３−、Ｓ２Ｏ３−２、Ｓ２Ｏ５−２、ＰＯ４−３、ＨＰＯ４−２、Ｈ２ＰＯ４−、Ｆ−、Ｃｌ−、Ｂｒ−、Ｉ−、ＣＯ３−２、ＨＣＯ３−、アセテートイオンおよびアセチルアセテートイオンよりなる群から選択されることを特徴とする１．に記載の画像転写要素。
１１．  前記金属塩が、硫酸マグネシウム、酢酸マグネシウム、塩化マグネシウム、硫酸アルミニウム、塩化カルシウム、またはＡｌＫ（ＳＯ４）２およびＡｌ（ＮＨ４）（ＳＯ４）２であることを特徴とする１．に記載の画像転写要素。
１２．  前記金属塩が、金属塩の無水和物または水和物よりなる群から選択されることを特徴とする１．に記載の画像転写要素。
１３．  前記金属塩が、カルボン酸塩であることを特徴とする１．に記載の画像転写要素。
１４．  低い分解温度（Ｔｄ）を有するポリカーボネート、低い分解温度を有する置換スチレンポリマー、ポリアクリレートおよびポリメタクリレートエステル、低い分解温度（Ｔｄ）を有するセルロース系材料、ポリ塩化ビニル、ポリ（塩化クロロビニル）ポリアセタール、ポリ塩化ビニリデン、低いＴｄのポリウレタン、ポリエステル、ポリオルトエステル、アクロニトリル、置換アクリロニトリルポリマー、マレイン酸樹脂、上記化合物の共重合体ならびにそれらの混合物よりなる群から選択される化合物を含む少なくとも１つの突出層をさらに含むことを特徴とする２．に記載の画像転写層。
１５．  前記着色剤が、実質的に透明な有機顔料、実質的に透明な無機顔料、不透明な有機顔料、不透明な無機顔料、染料、色形成染料およびそれらの組合せよりなる群から選択されることを特徴とする１．に記載の画像転写要素。
１６．  前記着色剤層が、熱増幅添加剤をさらに含むことを特徴とする１．に記載の画像転写要素。
１７．  前記少なくとも１つの加熱層が、熱増幅添加剤をさらに含むことを特徴とする２．に記載の画像転写要素。
１８．  前記少なくとも１つの突出層が、熱増幅添加剤をさらに含むことを特徴とする１４．に記載の画像転写要素。
１９．  共押出されるポリエチレンテレフタレートフィルム、ポリオレフィンフィルムおよび紙よりなる群から選択されるドナー要素支持体と、
前記ドナー要素支持体上に配置される着色剤層であって、澱粉誘導体；カルボキシメチルセルロース；アクリル酸、アクリル酸エステル、アクリロニトリル、酢酸ビニル、ブタジエン、スチレンおよびそれらの組合せをベースとするポリビニルアルコール；ならびにアクリル酸、アクリル酸エステル、アクリロニトリル、酢酸ビニル、ブタジエン、スチレンおよびそれらの組合せをベースとする水性分散系よりなる群から選択される高分子バインダー、着色剤、全固形分含有率を基準にして固形分約０．１から約６．０％の範囲の量の界面活性剤および下記構造
【化３】
2005516805.tif 000004
（式中、Ｍ＋ｎがＮ（Ｃ２Ｈ５）４＋、Ｎ（Ｃ３Ｈ７）４＋、Ｎ（Ｃ４Ｈ９）４＋、Ｓ（ＣＨ３）３＋、Ｓ（Ｃ２Ｈ５）３＋、Ｓ（Ｃ３Ｈ７）３＋および／またはＳ（Ｃ４Ｈ９）３＋よりなる群から選択され、Ｘ−ｑがＳＯ４−２、ＳＯ３−２、ＨＳＯ３−、Ｓ２Ｏ３−２、Ｓ２Ｏ５−２、ＯＡｃ−、ＰＯ４−３、ＨＰＯ４−２、Ｈ２ＰＯ４−、ハロゲン、ＣＯ３−２、ＨＣＯ３−、およびアセチルアセテートよりなる群から選択され、かつａおよびｂが（ａ）（ｎ）＝（ｂ）（ｑ）である整数である）を有する金属塩を含む着色剤層とを含み、かつ、
少なくとも１つの加熱層が、前記ドナー要素支持体と前記着色剤層との間に配置されることを特徴とする熱誘起画像転写用の画像転写要素。
２０．  １．に記載の画像転写要素およびレシーバー要素を備えることを特徴とするレーザー加工可能な組立体。
２１．  （ａ）１９．に記載のレーザー組立体をレーザーに画像様露光する工程と、
（ｂ）１．に記載のドナー要素をレシーバー要素から分離する工程と、任意選択的に、
（ｃ１）受像層を永久基材に転写する工程、または
（ｃ２）受像層を中間要素に転写し、そして次に永久基材に転写する工程、または
（ｃ３）レシーバー支持体を除去して、永久基材、熱可塑性樹脂層、着色転写画像、および受像層を含む組立体またはサンドイッチ体をもたらす工程と
を含むことを特徴とする、熱画像の作製方法。
２２．  ドナー要素支持体と
前記ドナー要素支持体上に配置される着色剤層であって、高分子バインダー、着色剤、全固形分含有率を基準にして固形分約０．１から約６．０％の範囲の量の界面活性剤および下記構造
【化４】
2005516805.tif 000005
（式中、Ｍ＋ｎは有機陽イオン、無機陽イオン、またはそれらの組合せであり；ｎ＝１、２または３であり；Ｘは陰イオンまたは陰イオンを含有する１から５個の炭素原子を含有する脂肪族基であり；ｑ＝１、２、または３であり；かつ、ａおよびｂは（ａ）（ｎ）＝（ｂ）（ｑ）である整数である）を有する金属塩を含む着色剤層と
を含む熱誘起画像転写用のレシーバー要素および画像転写要素を含む組立体をレーザー放射線に画像様露光する工程を含むことを特徴とする熱画像の作製における画像形成寛容度の改善方法。
２３．  液晶ディスプレー装置での使用に好適なモノクロームまたはカラーフィルター要素の製造方法であって、
支持体層および着色剤層および画像レシーバーを有するドナー要素であって、前記着色剤層が前記支持体層と前記画像レシーバーとの間に挟まれているドナー要素、
高分子バインダー、着色剤、全固形分含有率を基準にして固形分約０．１から約６．０％の範囲の量の界面活性剤および下記構造
【化５】
2005516805.tif 000006
（式中、Ｍ＋ｎは有機陽イオン、無機陽イオン、またはそれらの組合せであり；ｎ＝１、２または３であり；Ｘは陰イオンまたは陰イオンを含有する１から５個の炭素原子を含有する脂肪族基であり；ｑ＝１、２、または３であり；かつ、ａおよびｂは（ａ）（ｎ）＝（ｂ）（ｑ）である整数である）を有する金属塩を含む着色剤層
を含む画像転写要素を加熱する工程と、
前記画像転写要素の一部を化学線に画像様露光して露光された組立体を提供する工程と、
前記露光された組立体のレシーバーから支持体層を分離してカラーフィルター要素を得る工程と
を含むことを特徴とする方法。
２４．  前記レシーバーがガラスであることを特徴とする２３．に記載の方法。
２５．  導電性コーティング、液晶材料およびアラインメント層と結びつけられる２３．に記載の方法によって製造されるモノクロームまたはカラーフィルター要素を含むことを特徴とする液晶ディスプレー装置の製造方法。